(57)【要約】      （修正有）【課題】湿気による破損を防ぐバッグを提供する。【解決手段】バッグ１０はバッグ本体１００及び防水層２００を備える。なお、前記バッグ本体１００は第一収納溝１１０を含み、且つ前記バッグ本体１００の何れか１面の側面には開口部１３０が開設される。前記防水層２００は前記バッグ本体１００の内壁面に設置され、且つ前記開口部１３０の一側には前記バッグ本体１００及び前記防水層２００により共に第二収納溝２１０を画定させ、前記第二収納溝２１０は前記バッグ本体１００と前記防水層２００との間に設置され、前記開口部１３０は前記第二収納溝２１０に連通される。これにより、バッグはバッグ本体内部に設置される防水層により、バッグが湿気により破損するのを防止する効果を達成させる。【選択図】図１
0003196385.tif 000002
【実用新案登録請求の範囲】
【請求項１】
第一収納溝を有するバッグ本体と、
前記バッグ本体の内壁面に設置される防水層と、を備え
ここでは、前記バッグ本体の何れか１面の側面には開口部が開設され、且つ
前記開口部の一側には前記バッグ本体及び前記防水層により共に第二収納溝を画定させ、前記第二収納溝は前記バッグ本体と前記防水層との間に設置され、前記開口部は前記第二収納溝に連通されることを特徴とするバッグ。
【請求項２】
前記防水層は、プラスチック層及びアルミ箔層のいずれか一つを少なくとも備え、且つ前記プラスチック層は熱可塑性プラスチック層或いは熱硬化性プラスチック層の何れか一つであることを特徴とする、請求項１記載のバッグ。
【請求項３】
前記第二収納溝の底部及び二側は前記バッグ本体と前記防水層とが相互に粘着することで封鎖されることを特徴とする、請求項１記載のバッグ。
【請求項４】
前記第二収納溝の底部及び二側は前記バッグ本体と前記防水層とが相互に粘着することで封鎖されることを特徴とする、請求項２記載のバッグ。
【請求項５】
前記開口部は隙間であることを特徴とする、請求項１乃至４の何れか１項記載のバッグ。
【請求項６】
前記バッグ本体は４面の側面及び底面を備え、対応し合う２面の側面には第一折畳み部を各々有し、且つ前記底面には第二折畳み部を有し、これら前記側面の底辺と前記底面の周縁とは互いに接合し、且つ前記バッグ本体の前記開口部は前記第一折畳み部を有しない何れか１面の側面に設けられることを特徴とする、請求項１乃至４の何れか１項記載のバッグ。
【請求項７】
前記バッグ本体は４面の側面を備え、且つ対応し合う２面の側面には第一折畳み部を各々有し、各前記側面はそれぞれ薄片材であり、これら前記側面の側辺及び底辺は互いに接合され、且つ前記バッグ本体の前記開口部は前記第一折畳み部を有しない何れか１面の側面に設けられることを特徴とする、請求項１乃至４の何れか１項記載のバッグ。
【請求項８】
前記バッグ本体は４面の側面を備え、且つ対応し合う２面の側面には第一折畳み部を各々有し、これら前記側面は薄片材が折り畳まれて形成されると共に何れか１面の側面の中央に接合され、これら前記側面の底辺と互いに接合され、且つ前記バッグ本体の前記開口部は前記第一折畳み部を有しない何れか１面の側面に設けられることを特徴とする、請求項１乃至４の何れか１項記載のバッグ。
【請求項９】
前記バッグ本体は２面の側面を備え、これら前記側面の側辺と底辺とは互いに密封されることを特徴とする、請求項１乃至４の何れか１項記載のバッグ。
【請求項１０】
前記バッグ本体はファスナースタンディングパウチであることを特徴とする、請求項１乃至４の何れか１項記載のバッグ。
【考案の詳細な説明】
【技術分野】
【０００１】
本考案は、湿気による破損を防ぐバッグに関する。
【背景技術】
【０００２】
従来の品物を入れる紙材で形成される紙バッグに関する。
【考案の概要】
【考案が解決しようとする課題】
【０００３】
しかしながら、前述した従来のバッグは、特に前記紙バッグ底部の紙材が折り畳まれて接着されることで形成される。使用者が品物を入れて道路を歩行中に、前記紙バッグが雨や水に濡れると強度が落ちて、内部に入れられた品物の重量に耐え切れなくなり、底部が破裂して品物が前記紙バッグから落下することがある。
【０００４】
本考案は、このような従来の問題に鑑みてなされたものである。上記課題解決のため、本考案は、バッグを提供することを主目的とする。すなわち、バッグが湿気で容易に破損するのを防止する効果を達成させる。
【０００５】
また、本考案の他の目的は、名刺やチラシ等の品物を前記バッグの側面に収納可能にする効果を提供する。
【０００６】
そこで、本考案者は上記の欠点が改善可能と考え、鋭意検討を重ねた結果、合理的かつ効果的に課題を改善する本考案のバッグの提案に到った。
【課題を解決するための手段】
【０００７】
上述した課題を解決し、目的を達成するために、本考案に係るバッグは、
第一収納溝を有するバッグ本体と、
前記バッグ本体の内壁面に設置される防水層とを備え
ここでは、前記バッグ本体の何れか１面の側面には開口部が開設され、且つ
前記開口部の一側には前記バッグ本体及び前記防水層により共に第二収納溝を画定させ、前記第二収納溝は前記バッグ本体と前記防水層との間に設置され、前記開口部は前記第二収納溝に連通されることを特徴とする。
【０００８】
好ましくは、前記防水層はプラスチック層及びアルミ箔層のいずれか一つを少なくとも備え、且つ前記プラスチック層は熱可塑性プラスチック層或いは熱硬化性プラスチック層の何れか一つである。
【０００９】
好ましくは、前記第二収納溝の底部及び二側は前記バッグ本体と前記防水層とが相互に粘着することで封鎖される。
【００１０】
好ましくは、前記開口部は隙間である。
【００１１】
好ましくは、前記バッグ本体は４面の側面及び底面を備え、対応し合う２面の側面には第一折畳み部を各々有し、且つ前記底面には第二折畳み部を有し、これら前記側面の底辺と前記底面の周縁とは互いに接合し、且つ前記バッグ本体の前記開口部は前記第一折畳み部を有しない何れか１面の側面に設けられる。
【００１２】
好ましくは、前記バッグ本体は４面の側面を備え、且つ対応し合う２面の側面には第一折畳み部を各々有し、各前記側面はそれぞれ薄片材であり、これら前記側面の側辺及び底辺は互いに接合され、且つ前記バッグ本体の前記開口部は前記第一折畳み部を有しない何れか１面の側面に設けられる。
【００１３】
好ましくは、前記バッグ本体は４面の側面を備え、且つ対応し合う２面の側面には第一折畳み部を各々有し、これら前記側面は薄片材が折り畳まれて形成されると共に何れか１面の側面の中央に接合され、これら前記側面の底辺と互いに接合され、且つ前記バッグ本体の前記開口部は前記第一折畳み部を有しない何れか１面の側面に設けられる。
【００１４】
好ましくは、前記バッグ本体は２面の側面を備え、これら前記側面の側辺と底辺とは互いに密封される。
【００１５】
好ましくは、前記バッグ本体はファスナースタンディングパウチである。
【考案の効果】
【００１６】
本考案によれば、バッグ本体内部に設置される防水層によりバッグの強度を強化させ、バッグが湿気で容易に破損しないようにする効果を達成させる。このほか、さらに前記バッグ本体と前記防水層とが共に第二収納溝を形成させ、前記第二収納溝が前記バッグ本体と前記防水層との間に形成され、前記バッグ本体の側面の開口部から名刺やチラシ等の品物を前記第二収納溝に収納させ、宣伝効果を達成させる。
【図面の簡単な説明】
【００１７】
【図１】本考案の第１実施形態によるバッグが内方へ折り込まれる時の外観斜視図である。
【図２】本考案の第１実施形態によるバッグが外方へ引っ張られた状態で使用する外観斜視図である。
【図３】本考案の第１実施形態によるバッグが外方へ引っ張られた状態で使用する縦断面図である。
【図４】本考案の第２実施形態によるバッグが内方へ折り込まれる時の外観斜視図である。
【図５】本考案の第２実施形態によるバッグが外方へ引っ張られた状態で使用する外観斜視図である。
【図６】本考案の第３実施形態によるバッグを示す外観斜視図である。
【図７】本考案の第４実施形態によるバッグを示す外観斜視図である。
【考案を実施するための形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１９】
（第１実施形態）
以下、本考案の実施形態について、図１ないし図３面を参照しながら説明する。図１は本考案の一実施形態によるバッグが内方へ折り込まれる時の外観斜視図である。図２は本考案の一実施形態によるバッグが外方へ引っ張られた状態で使用する外観斜視図である。図３は本考案の一実施形態によるバッグが外方へ引っ張られた状態で使用する縦断面図である。
【００２０】
本考案に係るバッグ１０はバッグ本体１００及び防水層２００を備える。なお、前記バッグ本体１００は第一収納溝１１０を含み、且つ前記バッグ本体１００の何れか１面の側面１２０には開口部１３０が開設される。本実施態様では、前記バッグ本体１００は紙材で製造される。前記防水層２００は前記バッグ本体１００の内壁面に設置され、且つ前記開口部１３０の一側には前記バッグ本体１００及び前記防水層２００により共に第二収納溝２１０を画定させ、前記第二収納溝２１０は前記バッグ本体１００と前記防水層２００との間に設置され、前記開口部１３０は前記第二収納溝２１０に連通される。
【００２１】
具体的には、前記第二収納溝２１０の底部及び二側は前記バッグ本体１００及び前記防水層２００が相互に粘着されることで封鎖される。即ち、前記防水層２００が前記第二収納溝２１０の位置に対応する以外、全て前記バッグ本体１００の内壁面に完全に粘着され、前記第二収納溝２１０の位置にのみ対応する前記防水層２００は前記バッグ本体１００に粘着されず、前記第二収納溝２１０が前記バッグ本体１００と前記防水層２００との間に形成され、前記バッグ本体１００の側面１２０の前記開口部１３０から品物３００を前記第二収納溝２１０に収納させる。前記品物３００は名刺やチラシ等である。このように、本考案に係るバッグ１０を品物(図示せず)の包装バッグとして利用する場合、前記品物であるチラシ、営業人員の名刺、或いは他の品物の広告を前記第二収納溝２１０に収納させ、前記包装バッグを受け取った人や見た人に対する宣伝効果を達成させる。
【００２２】
好ましい実施態様では、前記防水層２００はプラスチック層及びアルミ箔層の少なくともいずれか一つを備え、且つ前記プラスチック層は熱可塑性プラスチック層ないしは熱硬化性プラスチック層である。すなわち、前記防水層２００は前記プラスチック層、前記アルミ箔層、或いは前記プラスチック層及び前記アルミ箔層を両方含み、水分が前記バッグ本体１００から前記バッグ１０に滲み込むのを防止させ、且つ前記バッグ本体１００が破損した場合でも前記防水層２００が前記バッグ１０の強度を維持させる。換言すれば、前記バッグ本体１００の破損時に、前記防水層２００は前記バッグ本体１００内に収納される品物の重量に耐えられる。
【００２３】
また、本実施態様では、前記バッグ本体１００は４面の側面１２０及び底面１４０を備える。対応し合う２面の側面１２０は第一折畳み部１２１を各々有し、前記第一折畳み部１２１は複数の折り線を含む。また、前記底面１４０は第二折畳み部１４１を有し、前記第二折畳み部１４１は折り線(図示せず)からなり、これら前記側面１２０の底辺及び前記底面１４０の周縁は互いに接合され、且つ前記バッグ本体１００の前記開口部１３０は前記第一折畳み部１２１を有しない何れか１面の側面１２０に設けられる。これにより、本考案に係るバッグ１０が使用されていない場合、前記第一折畳み部１２１及び前記第二折畳み部１４１のこれら前記折り線Ｌに沿って前記バッグ１０が折り畳まれると、前記バッグ１０が占める空間を圧縮させ、収納及び運送に便利になる。前記バッグ１０を開くと平底のバッグになり、大きな空間を有する前記第一収納溝１１０に、より多く品物を収納できる。また、前記底面１４０は方形或いは円形である。
【００２４】
このように、本考案に係るバッグ１０は、前記バッグ本体１００に内設される前記防水層２００により前記バッグ１０全体の強度を強化させ、前記バッグ１０が湿気により容易に破損するのを回避させ、前記防水層２００は前記バッグ１０内に収納させる品物の重量の負担を補助させ、品物が重過ぎて前記バッグ１０が破裂するのを防ぐ。このほか、前記バッグ本体１００と前記防水層２００との間に形成される前記第二収納溝２１０は、前記バッグ本体１００の側面１２０の前記開口部１３０から名刺やチラシ等の品物を前記第二収納溝２１０に収納させて、宣伝効果を達成させる。
【００２５】
さらには、本実施形態では前記開口部１３０は隙間であり、前記隙間は前記バッグ本体１００の側面１２０が切開されることで前記バッグ本体１００に形成される。或いは、前記開口部１３０を設置させたい前記側面１２０に２枚の薄片状材料を近接させて接合することで、前記隙間１３０がこれら前記薄片状材料の間に形成される。これにより、前記開口部１３０は細長くなり、品物が前記第二収納溝２１０に収納されていない場合、前記バッグ１０の外観からは前記開口部１３０が見えにくく、前記バッグ本体１００の前記側面１２０のフラットさ及び一体性を維持させる。
（第２実施形態）
【００２６】
本考案の第２実施形態の構成を図４及び図５に示す。図４は本考案の第２実施形態によるバッグが内方へ折り込まれる時の外観斜視図である。図５は本考案の第２実施形態によるバッグが外方へ引っ張られた状態で使用する外観斜視図である。本実施形態と具体的な第１実施形態との差異は、本考案に係るバッグ１０’は合掌袋であり、前記バッグ本体１００は４面の側面１２０を備え、且つ対応し合う２面の側面１２０は第一折畳み部１２１を各々有し、前記第一折畳み部１２１は少なくとも１つの折り線Ｌを含み、前記折り線Ｌは前記バッグ本体１００の縦方向に沿って延伸し、これら前記側面１２０は薄片材が折り畳まれて形成されると共に何れか１面の側面１２０の中央に接合され、これら前記側面１２０の底辺は互いに接合し、且つ前記バッグ本体１００の前記開口部１３０は前記第一折畳み部１２１を有しない何れか１面の側面１２０に設けられる点である。また、前記バッグ本体１００のこれら前記側面１２０の態様はこれに限定されず、各前記側面１２０それぞれが薄片材で形成され、且つこれら前記側面１２０の側辺と底辺とが互いに接合されてもよく、実際の需要に応じて変更可能である。
【００２７】
そして、本考案のバッグ１０’が使用されていない場合、前記第一折畳み部１２１の前記折り線Ｌに沿って前記バッグ１０’が折り畳まれ、前記バッグ１０’が占める空間を圧縮させて収納及び運送を容易にする。前記バッグ１０’が開けられると、各前記側面１２０の底辺に近接する部分が谷折になって底部１５０が形成され、且つ大きな前記第一収納溝１１０を有してより多くの品物が収納可能になる。
【００２８】
これにより、本考案のバッグ１０’は、前記バッグ本体１００に内設される前記防水層２００により前記バッグ１０’全体の強度を強化させ、前記バッグ１０’が湿気で容易に破損するのを防ぐ。また、前記バッグ本体１００の側面１２０の前記開口部１３０から名刺やチラシ等の品物３００を前記第二収納溝２１０に収納させ、宣伝効果を達成させる。
（第３実施形態）
【００２９】
さらに、前記バッグ本体１００の態様は具体的な第１実施形態及び具体的な第２実施形態に制限されず、例えば三方袋や五方袋でもよい。図６に示すように、前記バッグ１０’’は三方袋であり、前記バッグ本体１００は２面の側面１２０を備え、これら前記側面１２０の側辺と底辺とは互いに接合される。或いは、図７に示すように、前記バッグ１０’’’はファスナースタンディングパウチであり、前記ファスナースタンディングパウチの上端にはファスナー１６０を含み、前記バッグ本体１００内の前記第一収納溝１１０を封鎖させ、前記ファスナースタンディングパウチは品物を収納して開いた後に直立する。
【００３０】
以上のとおり、本考案のバッグはバッグ本体内部に設置される防水層によりバッグの強度を強化させ、バッグが湿気で容易に破損するのを防止する効果を達成させる。また、前記バッグ本体及び前記防水層により共に第二収納溝を形成させ、前記第二収納溝が前記バッグ本体と前記防水層との間に形成されることで、前記バッグ本体の側面の開口部から名刺やチラシ等の品物を前記第二収納槽に収納させて、宣伝効果を達成させる。
【００３１】
以上、本考案の実施形態について図面を参照して詳述したが、具体的な構成はこの実施形態に限られるものではなく、本考案の要旨を逸脱しない範囲の設計変更等も含まれる。
【符号の説明】
【００３２】
１０        バッグ
１０’      バッグ
１０’’    バッグ
１０’’’  バッグ
１００      バッグ本体
１１０      第一収納溝
１２０      側面
１２１      第一折畳み部
１３０      開口部
１４０      底面
１４１      第二折畳み部
１５０      底部
１６０      ファスナー
２００      防水層
２１０      第二収納溝
３００      品物
Ｌ          折り線
【図１】
0003196385.tif 000003
【図２】
0003196385.tif 000004
【図３】
0003196385.tif 000005
【図４】
0003196385.tif 000006
【図５】
0003196385.tif 000007
【図６】
0003196385.tif 000008
【図７】
0003196385.tif 000009